(57)【要約】【課題】摺接部材がシフトフォークの腕部から脱落するのを低減でき、摺接部材が脱落した場合でも、シフトフォークの両腕部の先端部がスリーブの外周部から脱離するのを防止し、それにより、変速段の設定及びその解除を行うためのスリーブの適切な移動を確保することができる変速機のシフトフォークを提供する。【解決手段】シンクロ機構のスリーブ２を、回転軸に沿って移動させるための変速機のシフトフォーク１であって、基部４から二股状に延び、先端部がスリーブ２の外周部に係合する２つの腕部５、５と、両腕部５、５の先端部にそれぞれ取り付けられ、シフトロッド１がその軸線方向に移動するのに伴い、スリーブ２に摺接しながらこれを押圧する摺接部材６、６と、を備え、両腕部５、５の先端部には、スリーブ２の内方に向かって突出し、両腕部５、５の先端部がスリーブ２の外周部から脱離するのを阻止するための突起部７、７が設けられている。【選択図】図１
2014222070.tif 000002
【特許請求の範囲】
【請求項１】
車両に搭載される変速機において、変速段を設定する際に、ギヤを回転軸に同期させるためのシンクロ機構のスリーブを、前記回転軸に沿って移動させるための変速機のシフトフォークであって、
前記回転軸の軸線方向と平行に延びるシフトロッドに固定される基部と、
この基部から二股状に延び、先端部が前記スリーブの外周部に係合する２つの腕部と、
滑性を有する材料から成り、前記両腕部の先端部にそれぞれ取り付けられ、前記シフトロッドがその軸線方向に移動するのに伴い、前記スリーブに摺接しながら当該スリーブを押圧する摺接部材と、
を備え、
前記２つの腕部の先端部にはそれぞれ、前記スリーブの内方に向かって突出し、当該両腕部の先端部が当該スリーブの外周部から脱離するのを阻止するための脱離阻止部が設けられていることを特徴とする変速機のシフトフォーク。
【請求項２】
前記摺接部材は、所定の合成樹脂から成り、前記２つの腕部の先端部の周囲を、前記脱離阻止部を含めてそれぞれ覆った状態で、当該各腕部の先端部に取り付けられており、
前記脱離阻止部は、突出する先端側の面が前記摺接部材の前記スリーブの内方側の面とほぼ面一に構成されていることを特徴とする請求項１に記載の変速機のシフトフォーク。
【請求項３】
前記２つの腕部の各先端部及び前記スリーブの外周部の一方は、他方側に突出する凸状に形成され、他方は、前記一方が嵌った状態に係合する凹状に形成されていることを特徴とする請求項１又は２に記載の変速機のシフトフォーク。
【請求項４】
前記摺接部材は、所定の合成樹脂から成り、前記２つの腕部の先端部の周囲をそれぞれ覆った状態で、当該各腕部の先端部に取り付けられており、
前記脱離阻止部は、前記各腕部の前記摺接部材から離れた位置に設けられていることを特徴とする請求項１に記載の変速機のシフトフォーク。
【発明の詳細な説明】
【技術分野】
【０００１】
本発明は、車両に搭載される変速機において、変速段を設定する際に、ギヤを回転軸に同期させるためのシンクロ機構のスリーブを、前記回転軸に沿って移動させるための変速機のシフトフォークに関する。
【背景技術】
【０００２】
従来の変速機のシフトフォークとして、例えば特許文献１に記載されたものが知られている。この変速機のシフトフォークは、ギヤの回転軸と平行に延びるシフトロッドに固定され、シフトロッド側からシンクロ機構のスリーブ側に、そのスリーブを跨ぐように二股状に延びる一対の腕部を有している。図８は、シフトフォーク２１の両腕部２２、２２とスリーブ２３との関係を、スリーブ２３の軸線方向から見たときの状態について示している。同図に示すように、各腕部２２の先端部（図８の下端部）には、腕部２２の長さ方向に沿って所定長さ延びるとともにスリーブ２３側に突出する爪部２４が形成されており、したがって、腕部２２の先端部は、図９に示すように、凸字状の横断面を有している。
【０００３】
また、爪部２４には、その表面の大部分を覆うように、耐摩耗性を有する合成樹脂製の摺接部材２５が取り付けられている。具体的には、図８及び図９に示すように、爪部２４の表面は、スリーブ２３の軸線側（図９の右側）に向いたラジアル面２４ａ、及びこのラジアル面２４ａに直角に連なり、スリーブ２３の軸線方向（図９の上下方向）にかつ互いに反対方向に向いた２つのスラスト面２４ｂ、２４ｂを有しており、摺接部材２５は、上記のラジアル面２４ａ及び２つのスラスト面２４ｂ、２４ｂにそれぞれ密着したラジアル面部２５ａ及び２つのスラスト面部２５ｂ、２５ｂにより、断面がコ字状に形成されている。なお、摺接部材２５は、両スラスト面部２５ｂ、２５ｂの内面に互いに対向する２つの突起（図示せず）を有しており、両突起が、腕部２２の爪部２４に形成された貫通孔（図示せず）に嵌入するとともに、その貫通孔に、摺接部材２５と同一の合成樹脂製の接続ピースを嵌入した状態で、両突起及び接続ピースを超音波溶着による接合によって、爪部２４に取り付けられている。
【０００４】
一方、スリーブ２３は、外観がほぼ円筒状に形成されており、外周部には、その周方向の全体にわたり、外方に開放する凹状の溝部２６が設けられている。図９に示すように、溝部２６は、底壁２６ａと、互いに所定間隔を隔てて対向する２つの側壁２６ｂ、２６ｂを有しており、この溝部２６に、シフトフォーク２１の両腕部２２、２２の先端部が嵌った状態で係合する。具体的には、各腕部２２の摺接部材２５のラジアル面部２５ａが溝部２６の底壁２６ａに対向するとともに、摺接部材２５の両スラスト面部２５ｂ、２５ｂが溝部２６の対応する側壁２６ｂ、２６ｂにそれぞれ対向した状態で、両腕部２２、２２の先端部がスリーブ２３の溝部２６に係合する。
【０００５】
上述した図８及び図９に示す状態において、変速段を設定する際には、シフトロッドがその軸線方向に駆動され、それに伴い、シフトフォーク２１の両腕部２２、２２の先端部、より具体的には、図１０（ａ）に示すように、各腕部２２の摺接部材２５の一方（図１０（ａ）では上側）のスラスト面部２５ｂが、スリーブ２３の溝部２６の対応する側壁２６ｂに摺接しながらこれを押圧し、スリーブ２３を回転軸の軸線方向に移動させる。これにより、図示しない変速段のギヤを回転軸に同期させ、変速機が、その変速段に設定される。
【先行技術文献】
【特許文献】
【０００６】
【特許文献１】特開平７−１３３８６５号公報
【発明の概要】
【発明が解決しようとする課題】
【０００７】
上述したようにして、シフトフォーク２１によってスリーブ２３を移動させる場合、図１０（ａ）において白抜き矢印で示すように、各腕部２２の摺接部材２５には、スリーブ２３の溝部２６の押圧された側壁２６ｂからの反力が作用する。この場合、例えば、高速の変速段から複数段下位の低速の変速段に設定される場合など、変速段の設定の前後で回転差が大きいときには、図１０（ｂ）に示すように、腕部２２の摺接部材２５に過大な反力が作用することがある。このような過大な反力が、腕部２２の摺接部材２５に作用する場合、溝部２６の側壁２６ｂに摺接する摺接部材２５のスラスト面部２５ｂのうち、爪部２４のスラスト面２４ｂで支えられていない部分、すなわち、ラジアル面部２５ａとの連接部分に、上記の反力が剪断力として作用する。このため、図１０（ｂ）に示すように、摺接部材２５に亀裂が生じたり、変形が生じたりすることにより、その摺接部材２５が腕部２２の爪部２４から脱落するおそれがある。このような摺接部材２５の脱落が生じた場合、次のような問題が生じる。
【０００８】
図１１は、一方（同図では左側）の腕部２２の爪部２４から摺接部材２５が脱落した状態を示している。同図に示すように、摺接部材２５が腕部２２から脱落すると、両腕部２２、２２の先端部間の距離が、脱落した摺動部材２５のラジアル面部２５ａの厚さ分、拡がり、それにより、両腕部２２、２２の先端部が、スリーブ２３のラジアル方向（図１１の左右方向）に動きやすくなってしまう。この場合には、シフトフォーク２１が、スリーブ２３のラジアル方向に対してがたつき、また、両腕部２２、２２の先端部と、スリーブ２３の溝部２６との係合状態のバランスが悪くなる。それにより、変速段の設定の際に、シフトフォーク２１によるスリーブ２３の移動を適切に行えなくなることがあり、その結果、変速段の設定及びその解除が不能になるおそれがある。
【０００９】
本発明は、以上のような課題を解決するためになされたものであり、摺接部材がシフトフォークの腕部から脱落するのを低減することができ、また、摺接部材が脱落した場合でも、シフトフォークの両腕部の先端部がスリーブの外周部から脱離するのを防止し、それにより、変速段の設定及びその解除を行うためのスリーブの適切な移動を確保することができる変速機のシフトフォークを提供することを目的とする。
【課題を解決するための手段】
【００１０】
上記の目的を達成するために、請求項１に係る発明は、車両に搭載される変速機において、変速段を設定する際に、ギヤを回転軸に同期させるためのシンクロ機構のスリーブ２を、回転軸に沿って移動させるための変速機のシフトフォーク１であって、回転軸の軸線方向と平行に延びるシフトロッド３に固定される基部４と、この基部から二股状に延び、先端部がスリーブの外周部に係合する２つの腕部５、５と、滑性を有する材料から成り、両腕部の先端部にそれぞれ取り付けられ、シフトロッドがその軸線方向に移動するのに伴い、スリーブに摺接しながらスリーブを押圧する摺接部材６と、を備え、２つの腕部の先端部にはそれぞれ、スリーブの内方に向かって突出し、両腕部の先端部がスリーブの外周部から脱離するのを阻止するための脱離阻止部（実施形態における（以下、本項において同じ）突起部７）が設けられていることを特徴とする。
【００１１】
この構成によれば、シフトフォークは、その基部がシフトロッドに固定され、基部から二股状に延びる２つの腕部の先端部が、シンクロ機構のスリーブの外周部に係合する。また、両腕部の先端部にはそれぞれ、滑性を有する材料から成る摺接部材が取り付けられている。変速機の変速段を設定する際に、シフトロッドがその軸線方向に移動するのに伴い、両腕部の摺接部材がスリーブに摺接しながら、そのスリーブを押圧する。これにより、スリーブが回転軸に沿って移動し、変速段のギヤを回転軸に同期させることにより、変速機が、その変速段に設定される。
【００１２】
また、２つの腕部の先端部にはそれぞれ、スリーブの内方に向かって突出する脱離阻止部が設けられており、これらの脱離阻止部により、両腕部の先端部における摺接部材の有無にかかわらず、両腕部の先端部がスリーブの外周部から脱離するのを確実に防止することができる。また、脱離阻止部を、腕部の先端部に設けられた摺接部材を支持する位置に設けることなどにより、変速段の設定の際に、スリーブ側からの反力による摺接部材の亀裂や変形を抑制し、それにより、腕部の先端部からの摺接部材の脱落を低減することができる。以上のように、本発明によれば、摺接部材がシフトフォークの両腕部の先端部から脱落するのを低減することができ、また、摺接部材が脱落した場合でも、シフトフォークの両腕部の先端部がスリーブの外周部から脱離するのを防止し、それにより、変速段の設定及びその解除を行うためのスリーブの適切な移動を確保することができる。
【００１３】
請求項２に係る発明は、請求項１に記載の変速機のシフトフォークにおいて、摺接部材は、所定の合成樹脂から成り、２つの腕部の先端部の周囲を、脱離阻止部を含めてそれぞれ覆った状態で、各腕部の先端部に取り付けられており、脱離阻止部は、突出する先端側の面（ラジアル面７ａ）が摺接部材のスリーブの内方側の面（ラジアル面部６ａ）とほぼ面一に構成されていることを特徴とする。
【００１４】
この構成によれば、所定の合成樹脂から成る摺接部材が、２つの腕部の先端部の周囲を、脱離阻止部を含めてそれぞれ覆った状態で、各腕部の先端部に取り付けられている。また、脱離阻止部は、突出する先端側の面が摺接部材のスリーブの内方側の面とほぼ面一に構成されているので、スリーブの軸線方向において、摺接部材を支持することができる。これにより、変速段の設定の際に、スリーブ側からの反力が摺接部材に対する剪断力として作用しても、摺接部材の亀裂や変形を抑制でき、それにより、腕部の先端部からの摺接部材の脱落を低減することができる。
【００１５】
請求項３に係る発明は、請求項１又は２に記載の変速機のシフトフォークにおいて、２つの腕部の各先端部及びスリーブの外周部の一方は、他方側に突出する凸状に形成され、他方は、一方が嵌った状態に係合する凹状に形成されていることを特徴とする。
【００１６】
この構成によれば、一般的なシフトフォーク及びスリーブと同様、２つの腕部の各先端部が凸状に形成され、スリーブの外周部が凹状に形成されている場合には、前述した請求項１及び２と同様の作用、効果を得ることができる。一方、スリーブの外周部が凸状に形成され、両腕部の先端部が凹状に形成されている場合、腕部の先端部から摺動部材が脱落しても、両腕部の先端部とスリーブの外周部による凹凸の嵌め合いによる係合を維持することができ、それにより、スリーブの移動を確保することができる。
【００１７】
請求項４に係る発明は、請求項１に記載の変速機のシフトフォークにおいて、摺接部材は、所定の合成樹脂から成り、２つの腕部の先端部の周囲をそれぞれ覆った状態で、各腕部の先端部に取り付けられており、脱離阻止部（突起部１３、１４）は、各腕部の摺接部材から離れた位置に設けられていることを特徴とする。
【００１８】
この構成によれば、脱離阻止部が、腕部の摺接部材から離れた位置に設けられているものの、その摺接部材が腕部から脱落した場合でも、脱離阻止部による前述した作用、効果を得ることができる。
【図面の簡単な説明】
【００１９】
【図１】本発明の第１実施形態によるシフトフォークの概略構成及びスリーブとの関係を示す図であり、（ａ）はシフトフォークの両腕部の先端部を詳細に示す斜視図、（ｂ）は両腕部の先端部とスリーブをその軸線方向から見たときの状態を示す図である。
【図２】図１（ｂ）のII−II線に沿って切断したときの断面図であり、（ａ）及び（ｂ）はそれぞれ、シフトフォークの移動の前後の状態を示す。
【図３】第１実施形態のシフトフォークの腕部における突起部の変形例を示す斜視図である。
【図４】本発明の第２実施形態によるシフトフォークの両腕部の先端部を、スリーブとともに示す図であり、（ａ）は突起部が摺接部材の後方に設けられた状態、（ｂ）は突起部が摺接部材の前方に設けられた状態を示す。
【図５】本発明の第３実施形態によるシフトフォークの腕部の先端部を、スリーブの外周部とともに示す断面図であり、（ａ）は突起部が設けられていない状態、（ｂ）は突起部が設けられた状態を示す。
【図６】本発明の第４実施形態によるシフトフォークの腕部の先端部を、スリーブの外周部とともに示す断面図である。
【図７】スリーブに対するシフトフォークの先端部の位置関係の変形例を説明するための説明図である。
【図８】従来のシフトフォークの両腕部の先端部とスリーブとの関係を説明するための図である。
【図９】図８のIX−IX線に沿って切断したときの断面図である。
【図１０】図９と同様の断面図であり、（ａ）は、変速段を設定する際に、腕部の先端部がスリーブの溝部の側壁を押圧した状態、（ｂ）は、溝部の側壁からの反力によって、摺接部材に亀裂及び変形が生じた状態を示す。
【図１１】両腕部の一方の先端部から摺接部材が脱落したときの状態を説明するための図である。
【発明を実施するための形態】
【００２０】
以下、図面を参照しながら、本発明の好ましい実施形態を詳細に説明する。図１は、本発明の第１実施形態による変速機のシフトフォークの概略構成及びシンクロ機構のスリーブとの関係を示している。このシフトフォーク１は、変速機の変速段を設定する際に、ギヤを回転軸に同期させるためのシンクロ機構（いずれも図示せず）において、そのスリーブ２を前記回転軸に沿って移動させるためのものである。図１（ａ）及び（ｂ）に示すように、シフトフォーク１は、前記回転軸の軸線方向と平行に延びるシフトロッド３に固定される基部４と、この基部４からスリーブ２を跨ぐように二股状に延びる一対の腕部５、５と、これらの先端部にそれぞれ取り付けられた摺接部材６、６とを備えており、両腕部５、５の先端部がスリーブ２の外周部に係合している。
【００２１】
上記のシフトフォーク１は、所定の金属をプレス加工することなどによって、基部４及び両腕部５、５が一体の所定形状に成形されている。両腕部５、５の先端部は、互いに所定距離を隔てた状態で、平行に延びていて、横断面が矩形状に形成されている。また、両腕部５、５の先端部には、互いに対向しかつスリーブ２の内方に突出し、両腕部５、５の先端部がスリーブ２の外周部から脱離するのを阻止するための突起部７、７（脱離阻止部）がそれぞれ設けられている。
【００２２】
各突起部７は、腕部５の先端部におけるスリーブ２の軸線側に向いたラジアル面５ａの所定位置、より具体的には、スリーブ２の軸線に最も近い位置から、所定長さ突出する角柱状に形成されている。また、突起部７の先端面であって、スリーブ２の軸線側に向いたラジアル面７ａは、矩形状に形成されており、スリーブ２の後述する溝部８の底壁８ａに対向している。さらに、突起部７のラジアル面７ａに直角に連なり、スリーブ２の軸線方向にかつ互いに反対方向に向いた２つのスラスト面７ｂ、７ｂは、対応する腕部５のスラスト面５ｂ、５ｂと面一になっている。以上のように構成された両腕部５、５の突起部７、７（ラジアル面７ａ、７ａ）間の距離は、スリーブ２の溝部８における底壁８ａの直径よりも若干大きく設定されている。
【００２３】
摺接部材６は、滑性を有する所定種類の合成樹脂、例えばポリアミド４６から成り、各腕部５の先端部の周囲を、所定の厚さを有するように覆った状態で、腕部５の先端部に取り付けられている。より具体的には、図１及び図２（ａ）に示すように、摺接部材６は、突起部７を含む腕部５の先端部の周囲を覆っており、スリーブ２の軸線側に向いたラジアル面部６ａの表面が、突起部７のラジアル面７ａと面一になっている。また、摺接部材６におけるスリーブ２の軸線方向にかつ互いに反対方向に向いた２つのスラスト面部６ｂ、６ｂはそれぞれ、腕部５の対応するスラスト面５ｂ、５ｂ及び突起部７のスラスト面７ｂ、７ｂを覆っており、スリーブ２の溝部８の対応する両側壁８ｂ、８ｂにそれぞれ対向している。なお、上記の摺接部材６は、所定の金型にセットされたシフトフォーク１に対し、上記の合成樹脂が射出成形されることなどによって、両腕部５、５の先端部に上述した状態で取り付けられる。
【００２４】
なお、シンクロ機構についての詳細な説明は省略するが、このシンクロ機構は、例えば、前記回転軸に一体に設けられたハブと、そのハブの外周部に支持された前記スリーブ２と、前記ギヤと一体のドグ歯リングと、スリーブ２とドグ歯リングの間に配置されたブロッキングリングと、スリーブ２とブロッキングリングの間に配置されたシンクロナイザースプリングなどで構成されている。これらの構成要素はいずれも、周方向に連続するリング状に形成されている。
【００２５】
スリーブ２は、その内周面に形成されたスプライン歯（図示せず）を介して、前記ハブの外周部にスプライン結合されており、それにより、ハブに対して回転不能で、かつ前記回転軸の軸線方向に移動自在になっている。また、スリーブ２の外周部には、その周方向の全体にわたり、外方に開放する凹状の前記溝部８が設けられている。この溝部８は、底壁８ａと、互いに所定間隔を隔てて対向する２つの側壁８ｂ、８ｂを有している。
【００２６】
以上のように構成されたシフトフォーク１、及びスリーブ２を有するシンクロ機構を備えた変速機において、変速段を設定する際には、シフトロッド３がその軸線方向に駆動され、それに伴い、図２（ｂ）に示すように、シフトフォーク１の両腕部５、５の先端部が、スリーブ２の溝部８の一方（同図では上側）の側壁８ｂに当接する。より具体的には、その側壁８ｂに対向する摺接部材６のスラスト面部６ｂが、回転するスリーブ２の溝部８の側壁８ｂに摺接しながら、そのスリーブ２を押圧し、回転軸の軸線方向に移動させる。これにより、変速段の前記ギヤを前記回転軸に同期させ、変速機が、その変速段に設定される。
【００２７】
以上のように、本実施形態のシフトフォーク１によれば、両腕部５、５の先端部にそれぞれ取り付けられた摺接部材６、６は、そのスラスト面部６ｂ、６ｂが突起部７によって、スリーブ２の軸線方向において支持されるので、変速段の設定の際に、スリーブ２側からの反力が摺接部材６に対する剪断力として作用しても、従来と異なり、摺接部材６の亀裂や変形を抑制でき、それにより、腕部５の先端部からの摺接部材６の脱落を低減することができる。また、摺接部材６が腕部５から脱落した場合でも、両腕部５、５に設けられた突起部７、７により、スリーブ２のラジアル方向に対するシフトフォーク１のがたつきを抑制できるとともに、両腕部５、５の先端部がスリーブ２の溝部８から脱離するのを確実に防止することができる。これにより、変速段の設定及びその解除を行うためのスリーブ２の適切な移動を確保することができる。
【００２８】
図３は、シフトフォーク１の腕部５における前述した突起部７の変形例を示している。同図（ａ）に示す突起部１１は、前述した突起部７と同様の位置に設けられ、また、その突起部７が角柱状に突出するように形成されているのに対し、円柱状に突出するように形成されている。加えて、突起部１１のラジアル面１１ａは、突起部７と同様、摺接部材６のラジアル面部６ａの表面と面一になっている。このような突起部１１、１１を両腕部５、５に有するシフトフォークも、前述したシフトフォーク１と同様の作用、効果を得ることができる。
【００２９】
一方、図３（ｂ）に示す突起部１２は、前述した突起部７及び１１が腕部５の先端よりも後方に設けられているのに対し、腕部５の先端寄りの位置に設けられている。このような突起部１２、１２を両腕部５、５に有するシフトフォークも、前述したシフトフォーク１とほぼ同様の作用、効果を得ることができる。
【００３０】
図４は、本発明の第２実施形態によるシフトフォークを示している。本実施形態のシフトフォークでは、前述した第１実施形態の突起部７に代えて、図４（ａ）では、突起部１３が、各腕部５の摺接部材６の後方に設けられ、同図（ｂ）では、突起部１４が、各腕部５の摺接部材６の前方に設けられている。これらの突起部１３及び１４はいずれも、摺接部材６のラジアル面部６ａの表面よりもスリーブ２の内方側に突出している。また、突起部１３及び１４のラジアル面１３ａ及び１４ａは、溝部８の底壁８ａに対向し、その接線に沿うように傾斜している。このような突起部１３、１３、又は突起部１４、１４を両腕部５、５に有するシフトフォークも、前述した第１実施形態のシフトフォーク１と同様、腕部５から摺接部材６が脱落した場合でも、両腕部５、５の先端部がスリーブ２の溝部８から脱離するのを防止することができる。
【００３１】
図５は、本発明の第３実施形態によるシフトフォークの腕部の先端部を、スリーブの外周部とともに示している。本実施形態のシフトフォークでは、その腕部５の先端部、及びスリーブ２の外周部の凹凸関係が、前述した第１実施形態のそれと逆になっている。すなわち、図５（ａ）に示すように、本実施形態におけるスリーブ２の外周部には、その周方向の全体にわたり、外方に突出する係合凸部１５が設けられる一方、シフトフォークの腕部５の先端部は、その横断面が、スリーブ２の係合凸部１５に嵌った状態に係合する凹状に形成されている。このシフトフォークでは、腕部５の先端部の形状自体が、本発明の脱離阻止部として機能する。したがって、このシフトフォークも、前述した第１実施形態のシフトフォーク１と同様、腕部５から摺接部材６が脱落した場合でも、両腕部５、５の先端部がスリーブ２の外周部、すなわち係合凸部１５から脱離するのを防止できるとともに、スリーブ２の適切な移動を確保することができる。
【００３２】
また、図５（ｂ）に示すシフトフォークの腕部５は、同図（ａ）の腕部５に対し、スリーブ２の内方側に突出する３つの突起部１６、１６、１６が設けられている。したがって、このシフトフォークも、上述した同図（ａ）のシフトフォークと同様の作用、効果に加えて、前述した第１実施形態のシフトフォーク１と同様、摺接部材６が両腕部５、５の先端部から脱落するのを低減することができる。
【００３３】
図６は、本発明の第４実施形態によるシフトフォークの腕部の先端部を、スリーブの外周部とともに示している。本実施形態のシフトフォークでは、前述した第１実施形態の突起部７に代えて、腕部５の先端部には、スリーブ２の側面側に回り込むように形成された抜止め部１７（脱離阻止部）が設けられている。この抜止め部１７は、腕部５からスリーブ２の軸線方向に延びるとともに、その先端から直角に屈曲し、スリーブ２の軸線側に所定長さ突出するように形成されている。したがって、このシフトフォークも、前述した第１実施形態のシフトフォーク１と同様、腕部５から摺接部材６が脱落した場合でも、両腕部５、５の先端部がスリーブ２の溝部８から脱離するのを防止できるとともに、スリーブ２の適切な移動を確保することができる。
【００３４】
なお、本発明は、説明した各実施形態に限定されることなく、種々の態様で実施することができる。例えば、第１実施形態及びその変形例では、シフトフォーク１の腕部５の突起部７又は１１のラジアル面７ａ又は１１ａを、摺接部材６のラジアル面部６ａと面一に構成しているが、このラジアル面７ａ又は１１ａをラジアル面部６ａに対して若干、突出又は退避するように構成してもよく、それにより、前述した第１実施形態と同様の作用、効果を得ることができる。
【００３５】
また、上述したシフトフォーク１では、両腕部５、５の先端部が互いに平行に延びるように構成したが、例えば、図７に示すように、両腕部５、５間の距離が、腕部５の先端に向かって次第に拡がるように構成してもよい。この場合には、各腕部５の突起部７は、スリーブ２の軸線に最も近い位置において、その軸線に向かって突出するように設けられる。このように構成されたシフトフォークも、前述した第１実施形態のシフトフォーク１と同様の作用、効果を得ることができる。
【００３６】
また、実施形態では、摺接部材６について、所定種類の合成樹脂を採用したが、本発明はこれに限定されるものではなく、滑性を有する材料であれば、他の合成樹脂や、金属、セラミック、複合材など、種々の材料を採用することが可能である。また、各実施形態で示したシフトフォークの細部の構成などは、あくまで例示であり、本発明の趣旨の範囲内で適宜、変更することができる。
【符号の説明】
【００３７】
１  シフトフォーク
２  スリーブ
３  シフトロッド
４  シフトフォークの基部
５  シフトフォークの腕部
６  摺接部材
７  突起部（脱離阻止部）
８  溝部
１１  突起部（脱離阻止部）
１２  突起部（脱離阻止部）
１３  突起部（脱離阻止部）
１４  突起部（脱離阻止部）
１５  係合凸部
１６  突起部（脱離阻止部）
１７  抜止め部（脱離阻止部）
【図１】
2014222070.tif 000003
【図２】
2014222070.tif 000004
【図３】
2014222070.tif 000005
【図４】
2014222070.tif 000006
【図５】
2014222070.tif 000007
【図６】
2014222070.tif 000008
【図７】
2014222070.tif 000009
【図８】
2014222070.tif 000010
【図９】
2014222070.tif 000011
【図１０】
2014222070.tif 000012
【図１１】
2014222070.tif 000013